(57)【要約】【課題】自由なサイズで切り取って貼り付けることが容易な付箋を提供すること。【解決手段】本発明は、矩形の付箋であって、縦方向において第一所定間隔で複数のミシン目が入っており、横方向において第二所定間隔で複数のミシン目が入っており、裏面の全面に粘着剤が設けられていることを特徴とするミシン目入り全面粘着式付箋である。本発明によれば、縦方向に第一所定間隔で入れられた複数のミシン目と横方向に第二所定間隔で入れられた複数のミシン目とによって、高い自由度で所望のサイズに切り取ることが容易である一方、裏面の全面に粘着剤が設けられていることによって、どのような切り取り形状であっても貼り付けが容易である。【選択図】図１
2014177073.tif 000002
【特許請求の範囲】
【請求項１】
矩形の付箋であって、
縦方向において第一所定間隔で複数のミシン目が入っており、
横方向において第二所定間隔で複数のミシン目が入っており、
裏面の全面に粘着剤が設けられている
ことを特徴とするミシン目入り全面粘着式付箋。
【請求項２】
台紙上に複数枚積層されている
ことを特徴とする請求項１に記載のミシン目入り全面粘着式付箋。
【請求項３】
縦方向に長く、台紙に巻き付けられている
ことを特徴とする請求項１に記載のミシン目入り全面粘着式付箋。
【請求項４】
前記第一所定間隔と前記第二所定間隔とは、同一である
ことを特徴とする請求項１乃至３のいずれかに記載のミシン目入り全面粘着式付箋。
【請求項５】
前記第一所定間隔及び前記第二所定間隔は、５ｍｍである
ことを特徴とする請求項４に記載のミシン目入り全面粘着式付箋。
【請求項６】
上面に、目盛の情報が印刷されている
ことを特徴とする請求項１乃至５のいずれかに記載のミシン目入り全面粘着式付箋。
【発明の詳細な説明】
【技術分野】
【０００１】
本発明は、使用者が容易に切断できるように予めミシン目が入れられた付箋に関する。
【背景技術】
【０００２】
粘着式の付箋は、従来より幅広く利用されている。従来の一般的な粘着式の付箋は、複数枚が積層された状態で市販されている。そして、最上面の付箋の表面に筆記具で情報が記載され（メモ書きされ）、当該付箋が残りの付箋から分離され（剥ぎ取られ）、所望の場所に貼り付けられる。
【０００３】
付箋の裏面に予め塗布された粘着剤は、大抵の対象物に対して、当該対象物を損傷させることなく、貼り付けと剥ぎ取りとを容易に繰り返すことができる。これにより、一時的なメモ情報を対象物（書類の所定の頁、クリアファイルの上面、机の上面など）に貼り付けた後、必要に応じて貼り付けの場所を変更したり、不要になった時点で剥ぎ取って廃棄することができる。
【０００４】
従来、最もよく知られている粘着式の付箋では、裏面の一部のみに粘着剤が塗布されていて、裏面の残部には粘着剤が塗布されていない。この場合、付箋を「めくる」動作が極めて容易である。
【０００５】
特許文献１に記載された付箋では、図６に示すように、粘着剤が設けられている領域と粘着剤が設けられていない領域との間にミシン目１５が設けられていて、粘着剤が設けられていない領域の部分だけを切り取って使用することも可能になっている。また、特許文献１に記載された付箋は、別のミシン目１６によって、付箋を２分割することも可能になっている。
【先行技術文献】
【特許文献】
【０００６】
【特許文献１】特開２０００−２１８９６１
【発明の概要】
【発明が解決しようとする課題】
【０００７】
従来の付箋においては、基本的に、使用時に付箋の大きさを調整することができない。そのため、使用者は、机の回りや筆箱の中に、複数種類のサイズの付箋を用意していることも少なくない。
【０００８】
一方、前記した特許文献１の付箋によれば、ミシン目１５、１６を利用することで、付箋を２分割したり、粘着剤が設けられていない領域のみを利用したりすることができるが、それでもサイズの自由度は大きいとは言えない。
【０００９】
本件発明者は、付箋のサイズの自由度を顕著に向上させるべく、全面に亘って縦方向と横方向とのそれぞれに所定間隔でミシン目を入れることを検討した。そして、各種の実用実験を繰り返すうち、そのような態様を採用する場合には、付箋を「めくる」動作の作業性を多少犠牲にして、付箋の裏面の全面に粘着剤を塗布することが好ましいことを知見した。付箋の裏面の全面に粘着剤を塗布しておけば、どの部分を切り取る場合でも、その裏面に必ず粘着剤が設けられていて貼り付け可能であるからである。
【課題を解決するための手段】
【００１０】
本発明は、以上のような知見に基づいて創案されたものである。本発明の目的は、自由なサイズで切り取って貼り付けることが容易な付箋を提供することである。
【００１１】
本発明は、矩形の付箋であって、縦方向において第一所定間隔で複数のミシン目が入っており、横方向において第二所定間隔で複数のミシン目が入っており、裏面の全面に粘着剤が設けられていることを特徴とするミシン目入り全面粘着式付箋である。
【００１２】
本発明によれば、縦方向に第一所定間隔で入れられた複数のミシン目と横方向に第二所定間隔で入れられた複数のミシン目とによって、高い自由度で所望のサイズに切り取ることが容易である一方、裏面の全面に粘着剤が設けられていることによって、どのような切り取り形状であっても貼り付けが容易な付箋を提供することができる。
【００１３】
本発明の付箋は、所定サイズの台紙上に複数枚積層されて提供されてもよい。しかしながら、本発明の付箋は、縦方向を長くして、台紙に巻き付けて提供されることが好ましい。この場合、従来は存在しなかったような縦方向に極めて長い付箋を利用することができる。そのような付箋は、会議において例えばホワイトボード等に貼り付けるという用途が期待できる。また、巻き付けの芯として台紙を入れておくことは、付箋に筆記具で情報を記載する（メモ書きする）際の剛性の担保に貢献する。
【００１４】
本発明において、第一所定間隔と第二所定間隔とを同一にしておけば、正方形を切り取りの単位とすることができ、使用者にとって便利である。この場合、当該正方形のサイズを１辺５ｍｍにしておけば、更に使用者にとって便利である。もっとも、５ｍｍの代わりに、２．５ｍｍや、１０ｍｍであってもよい。また、このように小さい単位でミシン目を入れておく場合には、逆に、大きなサイズでの切り取りの便宜のため、付箋の上面に目盛の情報が印刷されていることが好ましい。それは、例えば５ｃｍ刻み（あるいは１０ｃｍ刻み）でマークを印刷しておくといった態様でもよいし、単純にミシン目の数を印刷しておいてもよい。
【図面の簡単な説明】
【００１５】
【図１】本発明の一実施の形態に係るミシン目入り全面粘着式付箋の概略斜視図である。
【図２】情報記載部分をパズルとして楽しむ場合の一例を示す図である。
【図３】付箋上面のデザインの一例を示す図である。
【図４】付箋上面のデザインの他の例を示す図である。
【図５】付箋上面のデザインの更に他の例を示す図である。
【図６】従来の付箋を示す図である（特許文献１の図１）。
【発明を実施するための形態】
【００１６】
以下、本発明を実施の形態に基づいて詳細に説明する。
【００１７】
図１は、本発明の一実施の形態に係るミシン目入り全面粘着式付箋の概略斜視図である。図１に示すように、本発明の一実施の形態によるミシン目入り全面粘着式付箋１は、帯状（一方向が長い矩形である）の付箋であって、長手方向（縦方向）において５ｍｍ間隔で複数のミシン目２が入っており、幅方向（横方向）においても５ｍｍ間隔で複数のミシン目３が入っている。そして、ミシン目入り全面粘着式付箋１の裏面の全面に、粘着剤が設けられている。この粘着剤については、従来例と同様、アクリル系粘着剤が採用され得る。
【００１８】
本実施の形態のミシン目入り全面粘着式付箋１は、図１に示すように、台紙５に扁平に巻き付けられている。台紙５のサイズは、Ｙシャツの胸ポケットへの挿入を意識して、本実施の形態では、縦７６ｍｍ、横（幅）５０ｍｍ、厚さ２ｍｍとなっているが、勿論本発明は当該サイズに限定されない。
【００１９】
台紙の材料としては、当該付箋１に筆記具で情報を記載する（メモ書きする）際の剛性の担保に貢献できるような材料が採用され得る。具体的には、ポリプロピレン（ＰＰ）、発砲スチロール、板紙などが挙げられる。なお、台紙５は、付箋１の裏面の粘着剤に対して、必ずしも強く粘着する性能を有している必要は無い。
【００２０】
一方、ミシン目入り全面粘着式付箋１の素材としては、ポリプロピレン（ＰＰ）、ポリエチレン（ＰＥ）、紙、ユポなどが挙げられる。本実施の形態では、縦３０００ｍｍ、横（幅）５０ｍｍのミシン目入り全面粘着式付箋１が台紙５に巻き付けられて、全体の厚みは、５ｍｍ程度になっている。勿論、本発明は当該サイズに限定されない。
【００２１】
次に、以上のような構成からなる本実施の形態のミシン目入り全面粘着式付箋１の一般的な使用方法について説明する。
【００２２】
まず、使用者が、付箋１の上面に筆記具で情報を記載する（メモ書きする）。次に、使用者は、情報記載部分を含む任意の領域を、ミシン目２、３を利用しながら、残りの付箋１（及び台紙５）から切り取る。本実施の形態のミシン目入り全面粘着式付箋１によれば、縦方向に５ｍｍ間隔で入れられたミシン目２と横方向に５ｍｍ間隔で入れられた複数のミシン目３とによって、高い自由度で所望のサイズに切り取ることが容易である。
【００２３】
そして、使用者は、切り取った付箋１を、所望の対象物の所望の位置（例えばカレンダーの所定の日付欄）に貼り付ける。付箋１の裏面には、その全面に粘着剤が設けられているため、どのような切り取り形状であっても貼り付けが容易である。
【００２４】
ここで、ミシン目入り全面粘着式付箋１の粘着剤は、従来例と同様のものが採用されているため、貼り付けと剥ぎ取りとを容易に繰り返すことができる。これにより、付箋１の貼り付けの場所を変更したり、不要になった時点で付箋１を剥ぎ取って廃棄することも容易である。
【００２５】
以上の通り、本実施の形態によれば、縦方向において５ｍｍ間隔で入れられた複数のミシン目２と横方向において５ｍｍ間隔で入れられた複数のミシン目３とによって、高い自由度で所望のサイズに切り取ることが容易である一方、裏面の全面に粘着剤が設けられていることによって、どのような切り取り形状であっても貼り付けが容易である。特に、縦方向のミシン目の間隔と横方向のミシン目の間隔とが同一であるから、正方形が切り取りの単位となっており、使用者にとって非常に使い易い。更に、この正方形のサイズが１辺５ｍｍとなっているため、非常に実用性が高い。このサイズであれば、図２に示すように、情報記載部分をバラバラにして、パズルのようにして楽しむことも可能である。
【００２６】
また、本実施の形態によれば、従来は存在しなかったような極めて長い形状に付箋を切り取って利用することもできる。そのような付箋は、会議において例えばホワイトボード等に貼り付けるという用途が期待できる。
【００２７】
また、本実施の形態によれば、巻き付けの芯として台紙５を用いているため、付箋１に筆記具で情報を記載する（メモ書きする）ことが容易である。
【００２８】
なお、ミシン目入り全面粘着式付箋１のデザインとしては、様々なものが考えられる。全面が無地であるデザインの他、図３に示すように、付箋１の上側領域に、ミシン目２、３に対して斜めに延びる太線を印刷しておいてもよい。このような場合、切り出された付箋１それ自体が（その上面に何ら情報を記載しなくても）、視覚的なアクセントを有することができる。図３の例では、「Ｈ」や「Ｌ」という文字型に付箋１が切り取られた状態が示されている。
【００２９】
更に、大きなサイズでの切り取りの便宜のため、付箋１の上面に目盛の情報が印刷されていることが好ましい。例えば、図４に示すように、５ｃｍ刻み（１０個分のミシン目に相当）でマークを印刷しておいてもよいし、図５に示すように、単純にミシン目の数に対応する情報を印刷しておいてもよい。
【符号の説明】
【００３０】
１  ミシン目入り全面粘着式付箋
２  長手方向（縦方向）において５ｍｍ間隔のミシン目
３  幅方向（横方向）において５ｍｍ間隔のミシン目
５  台紙
【図１】
2014177073.tif 000003
【図２】
2014177073.tif 000004
【図３】
2014177073.tif 000005
【図４】
2014177073.tif 000006
【図５】
2014177073.tif 000007
【図６】
2014177073.tif 000008